(57)【要約】【課題】ユーザによる煩雑な操作を要することなく、動画中の任意の時間範囲に対し他の動画が挿入された動画を生成することを目的とする。【解決手段】動画を取得する取得手段と、取得手段により取得した動画を記録動画として記録する記録手段と、動画の記録の一時停止指示を受け付ける指示受付手段と、指示受付手段により動画の一時停止指示を受け付けた場合に、取得手段により取得した動画の記録を停止し、取得手段により取得した動画の代わりに他の動画を記録動画として記録するように制御する制御手段を備える。【選択図】図２
2015088776.tif 000002
【特許請求の範囲】
【請求項１】
動画を取得する取得手段と、
前記取得手段により取得した動画を記録動画として記録する記録手段と、
動画の記録の一時停止指示を受け付ける指示受付手段と、
前記指示受付手段により動画の一時停止指示を受け付けた場合に、前記取得手段により取得した動画の記録を停止し、前記取得手段により取得した動画の代わりに他の動画を前記記録動画として記録するように制御する制御手段を備えることを特徴とする画像処理装置。
【請求項２】
前記指示受付手段は、前記動画の記録の一時停止の解除指示を受け付け可能であり、
前記制御手段は、前記動画の記録の一時停止の解除指示を受け付けた場合に、前記他の動画の記録を終了し、前記取得手段により取得した動画を前記記録動画として記録するように制御することを特徴とする請求項１に記載の画像処理装置。
【請求項３】
前記制御手段は、前記取得手段により取得した動画と前記他の動画とを含む前記記録動画を１つの動画ファイルとして記録するように制御することを特徴とする請求項１又は２に記載の画像処理装置。
【請求項４】
撮像手段を有し、
前記取得手段は、前記撮像手段により撮像された動画を取得することを特徴とする請求項１乃至３何れか１項に記載の画像処理装置。
【請求項５】
前記取得手段は、動画と共に音声を取得し、
前記制御手段は、前記取得手段により取得した動画と音声とを対応付けて記録するように制御し、
前記制御手段は、前記指示受付手段により動画の一時停止指示を受け付けた場合に、前記取得手段により取得した動画の記録を停止しても、前記取得手段により取得した音声の記録は継続するように制御することを特徴とする請求項１乃至４何れか１項に記載の画像処理装置。
【請求項６】
前記制御手段は、前記取得手段が取得した動画及び音声の取得タイミングに基づいて、当該動画及び前記音声を対応付けて記録するように制御し、
前記制御手段は、前記一時停止指示を受け付けた場合に、一時停止期間の間は前記取得手段により取得した動画の記録を停止し、前記一時停止の間に前記取得手段が取得した音声と前記他の動画とを対応付けて記録するように制御することを特徴とする請求項５に記載の画像処理装置。
【請求項７】
マイクを有し、
前記取得手段は、前記マイクにより得られた音声を取得することを特徴とする請求項５又は６に記載の画像処理装置。
【請求項８】
前記取得手段により取得した画像を表示手段に表示させるための制御を行う表示制御手段を有することを特徴とする請求項１乃至７何れか１項に記載の画像処理装置。
【請求項９】
前記指示受付手段は、前記表示手段へのタッチ操作を検出し、前記タッチ操作により前記一時停止指示を受け付けることを特徴とする請求項８に記載の画像処理装置。
【請求項１０】
前記表示制御手段は、前記取得手段が取得した動画を第１の表示態様で表示し、前記指示受付手段により動画の一時停止指示を受け付けた場合に記録する前記他の動画を、前記第１の表示態様と異なる第２の表示態様で表示することを特徴とする請求項８又は９に記載の画像処理装置。
【請求項１１】
前記取得手段により取得した画像を第１の表示態様で表示し、前記指示受付手段により動画の一時停止指示を受け付けた場合に、前記取得手段により取得した画像を前記第１の表示態様と異なる第２の表示態様で表示する表示制御手段を有することを特徴とする請求項１乃至１０何れか１項に記載の画像処理装置。
【請求項１２】
前記撮像手段は、第１の撮像手段と第２の撮像手段とを有し、
前記第１の撮像手段から取得した動画と前記第２の撮像手段から取得した動画の両方をそれぞれ記録動画として記録している場合に、前記指示受付手段は、前記第１の撮像手段から取得した動画の記録の一時停止指示および前記第２の撮像手段から取得した動画の記録の一時停止指示を受け付け可能であることを特徴とする請求項４に記載の画像処理装置。
【請求項１３】
前記第１の撮像手段から取得した動画と前記第２の撮像手段から取得した動画を表示する表示手段を有し、
前記指示受付手段は、前記表示手段へのタッチ操作を検出し、前記タッチ操作に応じて、当該タッチ操作された領域に表示されている動画の一時停止指示を受け付けることを特徴とする請求項１２に記載の画像処理装置。
【請求項１４】
前記指示受付手段は、前記表示手段へのタッチダウン操作に応じて前記一時停止指示を受け付け、前記表示手段へのタッチアップ操作に応じて前記一時停止指示の解除指示を受け付けることを特徴とする請求項９又は１３に記載の画像処理装置。
【請求項１５】
画像処理装置が実行する画像処理方法であって、
動画を取得する取得ステップと、
前記取得ステップにおいて取得した動画を記録動画として記録する記録ステップと、
動画の記録の一時停止指示を受け付ける指示受付ステップと、
前記指示受付ステップにおいて動画の一時停止指示を受け付けた場合に、前記取得ステップにおいて取得した動画の記録を停止し、前記取得ステップにおいて取得した動画の代わりに他の動画を前記記録動画として記録するように制御する制御ステップとを含むことを特徴とする画像処理方法。
【請求項１６】
コンピュータを、
動画を取得する取得手段と、
前記取得手段により取得した動画を記録動画として記録する記録手段と、
動画の記録の一時停止指示を受け付ける指示受付手段と、
前記指示受付手段により動画の一時停止指示を受け付けた場合に、前記取得手段により取得した動画の記録を停止し、前記取得手段により取得した動画の代わりに他の動画を前記記録動画として記録するように制御する制御手段と
して機能させるためのプログラム。
【請求項１７】
請求項１６に記載のプログラムを記録したコンピュータにより読み取り可能な記録媒体。
【発明の詳細な説明】
【技術分野】
【０００１】
本発明は、画像処理装置、画像処理方法及びプログラムに関する。
【背景技術】
【０００２】
従来、例えば、いわゆるサブリミナル効果を狙い、撮影により得られた一連の映像の中の１コマを他の画像に差し替えるなど、一連の動画中の一部の時間領域に、他の動画を含む動画ファイルを生成する技術が知られている。例えば特許文献１には、動画の撮影中に静止画を撮影する際に、動画に代替え画像を挿入する技術が開示されている。
【先行技術文献】
【特許文献】
【０００３】
【特許文献１】特開２００６−３４５４８５号公報
【発明の概要】
【発明が解決しようとする課題】
【０００４】
しかしながら、ユーザが自由に動画中に他の映像を挿入するためには、ユーザによる手作業による編集処理が必要となり、面倒であるという問題があった。
【０００５】
本発明はこのような問題点に鑑みなされたもので、ユーザによる煩雑な操作を要することなく、動画中の任意の時間範囲に対し他の動画が挿入された動画を生成することを目的とする。
【課題を解決するための手段】
【０００６】
そこで、本発明は、画像処理装置であって、動画を取得する取得手段と、前記取得手段により取得した動画を記録動画として記録する記録手段と、動画の記録の一時停止指示を受け付ける指示受付手段と、前記指示受付手段により動画の一時停止指示を受け付けた場合に、前記取得手段により取得した動画の記録を停止し、前記取得手段により取得した動画の代わりに他の動画を前記記録動画として記録するように制御する制御手段を備える。
【発明の効果】
【０００７】
本発明によれば、ユーザによる煩雑な操作を要することなく、動画中の任意の時間範囲に対し他の動画が挿入された動画を生成することができる。
【図面の簡単な説明】
【０００８】
【図１】デジタルカメラを示す図である。
【図２】デジタルカメラを示す図である。
【図３】動画記録処理を示すフローチャートである。
【図４】停止中動画の一例を示す図である。
【図５】動画ファイルの一例を示す図である。
【図６】デジタルカメラを示す図である。
【図７】デジタルカメラを示す図である。
【図８】撮像モードにおける表示例を示す図である。
【図９】撮像者と、被写体の関係を示す図である。
【図１０】動画記録処理を示すフローチャートである。
【図１１】割り当て処理を示すフローチャートである。
【図１２】停止中動画の一例を示す図である。
【発明を実施するための形態】
【０００９】
以下、本発明の実施形態について図面に基づいて説明する。
【００１０】
（第１の実施形態）
図１は、第１の実施形態にかかる、画像処理装置としてのデジタルカメラ１００の外観図である。デジタルカメラ１００は、電源スイッチ１０１と、レリーズスイッチ１０２と、ズームレバー１０３と、液晶モニタ１０４と、モードスイッチ１０５と、十字ボタン１０６と、ファンクション／セットボタン１０７とを備えている。デジタルカメラ１００はさらに、ディスプレイボタン１０８と、メニューボタン１０９と、ショートカットボタン１１０と、前方撮像部１２０とを備えている。
電源スイッチ１０１は、デジタルカメラ１００本体の電源オン／オフの制御を行うスイッチである。レリーズスイッチ１０２は、半押し時にオン状態となってフォーカスロックや測光等の撮像準備を行わせるスイッチステップＳ１と、全押し時にオン状態となって画像の取り込み（本撮影）を行わせるスイッチステップＳ２の２段階の機能を有するスイッチである。
【００１１】
モードスイッチ１０５は、デジタルカメラ１００の動作モードを切り替えるスイッチである。デジタルカメラ１００は、動作モードとして撮像モードと再生モードとを有している。撮像モードとは、デジタルカメラ１００が動画や静止画を撮像するモードであり、再生モードとは、デジタルカメラ１００が、自身が備える記録媒体等の記憶部に格納された動画や静止画を再生するモードである。
十字ボタン１０６、ファンクション／セットボタン１０７、ディスプレイボタン１０８及びメニューボタン１０９は、ユーザによる操作を受け付ける。十字ボタン１０６は、上下左右キーからなるマルチファンクションボタンである。ファンクション／セットボタン１０７は、撮像モード時の詳細設定や、各動作モードにおける各種設定を決定するためのボタンである。
【００１２】
ディスプレイボタン１０８は、各動作モードにおける付帯情報を切り替えたり、表示／非表示を切り替えたりするためのボタンである。メニューボタン１０９は、デジタルカメラ１００本体の各種設定を行うための設定ボタンである。ショートカットボタン１１０は、操作者が自由に各種機能を割り当てることができるボタンである。
また、これら十字ボタン１０６、ファンクション／セットボタン１０７、ディスプレイボタン１０８、メニューボタン１０９、ショートカットボタン１１０には、操作者の設定により、任意の機能を持たせることも可能である。
【００１３】
前方撮像部１２０は、デジタルカメラ１００の正面に設けられ、静止画又は動画を撮像する。前方撮像部１２０は、撮像レンズと、絞り機能を備えるシャッタと、露光制御部と、光学像を電気信号に変換する撮像素子と、撮像素子のアナログ信号出力をデジタル信号に変換するＡ／Ｄ変換器とを備える。
ズームレバー１０３は、左右に可動なレバーであり、不図示の撮像レンズを駆動する。ズームレバー１０３が一方の方向に動かされると、撮像レンズは、望遠側に駆動し、ズームレバー１０３が他方の方向に動かされると、撮像レンズは、広角側に駆動する。
他の例としては、十字ボタン１０６を、レンズの駆動制御ボタンとしてもよい。また、撮像レンズは単焦点レンズでもよく、この場合には、デジタルカメラ１００は、ズームレバー１０３を備えなくともよい。
【００１４】
液晶モニタ１０４は、デジタルカメラ１００の背面に設けられている。液晶モニタ１０４は、不図示のタッチパネルと、液晶パネルと、液晶パネル背面より光を照射するバックライトとを有している。液晶モニタ１０４は、各種情報を表示する。液晶モニタ１０４は例えば、電子ビューファインダとして、デジタルカメラ１００により撮像された動画（スルー画像）を表示する。液晶モニタ１０４はまた、記録部への記録前の撮像画像（プレビュー画像）や、記録部に格納されている画像を表示する。
液晶モニタ１０４はまた、撮像モード／再生モードに応じて、デジタルカメラ１００の設定情報であるディスプレイ情報、すなわち、撮像動画に関する各種の設定情報や、撮像時に関する各種の設定等を表示することができる。
液晶モニタ１０４はまた、十字ボタン１０６、ファンクション／セットボタン１０７、メニューボタン１０９の操作に応じて、デジタルカメラ１００の動作モードやホワイトバランス、画像サイズ等の設定のための各種のメニューを表示する。なお、液晶モニタ１０４は、表示手段の一例である。
【００１５】
図２は、デジタルカメラ１００の機能構成を示す図である。デジタルカメラ１００は、さらにシステム制御部１２１と、メモリ１２２と、不揮発性メモリ１２３と、記録媒体接続部１２４と、操作受付部１２５と、表示制御部１２６と、マイク１２７とを備えている。
システム制御部１２１は、例えばＣＰＵ等であり、デジタルカメラ１００の全体を制御する。メモリ１２２は、デジタルカメラ１００が撮像した静止画や動画を格納する。メモリ１２２は、所定枚数の静止画像や所定時間の動画像を格納するのに十分な記憶量を備えており、システム制御部１２１の作業領域としても使用される。
【００１６】
不揮発性メモリ１２３は、各種情報を格納している。記録媒体接続部１２４は、各種記録媒体を接続する。記録媒体からのデータの読み出し又は記録媒体へのデータの書き込みは、システム制御部１２１により制御される。システム制御部１２１は、記録媒体により読み出されたデータを不揮発性メモリ１２３に格納してもよい。
操作受付部１２５は、ユーザによる操作入力を受け付ける。ユーザによる操作入力としては、電源スイッチ１０１、ズームレバー１０３、モードスイッチ１０５、十字ボタン１０６、ファンクション／セットボタン１０７に対する操作入力がある。また、操作入力としては、ディスプレイボタン１０８、メニューボタン１０９、ショートカットボタン１１０への入力がある。また、操作入力としては、タッチパネルとしての液晶モニタ１０４へのタッチ入力がある。なお、ユーザによる操作入力の方法は、実施形態に限定されるものではない。表示制御部１２６は、液晶モニタ１０４への表示を制御する。マイク１２７は、音声を取得する。
【００１７】
なお、後述するデジタルカメラ１００の機能や処理は、システム制御部１２１が、不揮発性メモリ１２３等に格納されているプログラムを読み出し、このプログラムを実行することにより実現されるものである。
また、他の例としては、デジタルカメラ１００は、システム制御部１２１の他に、画像処理部を備えてもよい。この場合には、後述するデジタルカメラ１００の機能や処理の一部又は全部を、画像処理部が行うこととしてもよい。
【００１８】
次に、撮像モードにおけるデジタルカメラ１００の基本動作について説明する。ユーザにより電源スイッチ１０１が操作されると、システム制御部１２１は、これを検出し、デジタルカメラ１００の電源をオンにして、動作状態を撮像待機状態にする。撮像待機状態においては、システム制御部１２１は通常、前方撮像部１２０が取得した映像（スルー画像）を、表示制御部１２６を介して液晶モニタ１０４に表示する。
具体的には、前方撮像部１２０は、連続的に被写体を撮像する。そして、システム制御部１２１は、得られた画像信号を連続的に処理し、画像信号を生成する。システム制御部１２１はさらに、生成した画像信号と、ディスプレイ情報とを合成し、表示制御部１２６を介して液晶モニタ１０４に出力する。
以上の処理により、液晶モニタ１０４には、ディスプレイ情報が重畳されたスルー画像が表示される。これにより、ユーザは、液晶モニタ１０４に表示されるスルー画像を見ながら、撮像操作を行ったり、デジタルカメラ１００の設定を行ったりすることができる。
【００１９】
次に、デジタルカメラ１００による、動画記録処理について説明する。図３は、動画記録処理を示すフローチャートである。前述のように、電源スイッチ１０１の操作による電源投入の後、デジタルカメラ１００は、撮像待機状態となる。撮像待機状態において、システム制御部１２１は、表示制御部１２６を介して、液晶モニタ１０４にスルー画像として撮像動画を再生表示する。
この状態において、ユーザによりレリーズスイッチ１０２が押下されると、システム制御部１２１は、操作受付部１２５を介して動画記録指示を受け付ける（ステップＳ４０１でＹＥＳ）。そして、システム制御部１２１は、メモリ１２２内に動画ファイルを生成する（ステップＳ４０２）。
【００２０】
次に、システム制御部１２１は、前方撮像部１２０により得られた撮像動画の記録を開始する（ステップＳ４０３）。具体的には、システム制御部１２１は、前方撮像部１２０による撮像及びマイク１２７による音声の取得を指示する。そして、システム制御部１２１は、前方撮像部１２０から撮像動画を取得し、マイク１２７から音声を取得する。ここで、撮像動画は、動画の一例である。また、ステップＳ４０３の処理は、取得処理の一例である。
次に、システム制御部１２１は、取得した撮像動画と音声とを、取得タイミングに応じて対応付けて、動画ファイルに書き込む（制御処理）。なお、このとき、書き込み動作と並行して、システム制御部１２１は、表示制御部１２６を介して、撮像動画を液晶モニタ１０４に再生表示している（通常表示）。
【００２１】
次に、ユーザによる操作入力に応じて、操作受付部１２５が、一時停止指示を受け付けると（ステップＳ４０４でＹＥＳ）、システム制御部１２１は、処理をステップＳ４０５へ進める。なお、ステップＳ４０４の処理は、指示受付処理の一例である。そして、システム制御部１２１は、一時停止期間に取得した撮像動画に対し、網掛け処理を行い、網掛け動画を得る（ステップＳ４０５）。
ここで、網掛け処理は、処理対象の撮像動画の色をより薄い色に変更し、処理対象の撮像動画上に半透明のグレー画像を重ね合わせる処理とする。また、一時停止期間とは、操作受付部１２５が一時停止指示を受け付けたタイミングから、操作受付部１２５が後述の解除指示を受け付けるタイミングまでの間の期間である。
【００２２】
次に、システム制御部１２１は、停止中動画を再生表示する（ステップＳ４０６）。なお、ステップＳ４０６の処理は、表示処理の一例である。具体的には、システム制御部１２１は、撮像動画に替えて網掛け動画を液晶モニタ１０４に表示する。システム制御部１２１はさらに、網掛け動画上に、網掛け動画と異なるウィンドウとして、縮小サイズの撮像動画を重畳して表示する。ここで、縮小サイズの撮像動画とは、撮像動画の画像サイズを縮小した動画である。なお、縮小サイズの撮像動画は、網掛け処理が施されていない動画である。
このように、システム制御部１２１は、一時停止期間の間、撮像動画に替えて停止中動画を液晶モニタ１０４に再生表示する。これにより、ユーザは、撮像動画の記録の一時停止中であることを認識することができる。
図４は、停止中動画の一例を示す図である。図４に示す停止中動画４０３においては、液晶モニタ１０４全体に網掛け動画４０１が配置され、その上に縮小サイズの撮像動画４０２が網掛け動画４０１と異なるウィンドウとして重畳されている。このように、一時停止期間においては、通常表示時の表示態様と異なる表示態様で、撮像動画が表示される。
【００２３】
図３に戻り、システム制御部１２１は、さらに前方撮像部１２０から取得した撮像動画の動画ファイルへの記録を一時停止する（ステップＳ４０７）。なお、このとき、システム制御部１２１は、前方撮像部１２０による撮像処理と、マイク１２７による音声取得処理は継続する。そして、システム制御部１２１は、継続して、撮像動画と音声とを取得する。
【００２４】
次に、システム制御部１２１は、不揮発性メモリ１２３や記録媒体接続部１２４に接続する記録媒体等の記憶部に格納されている代替動画を読み出す。ここで、代替動画は、予めユーザにより記憶部に格納された動画である。代替動画は、ユーザの希望の動画でもよく、また他の例としては、黒画像であってもよい。代替動画は、他の動画の一例である。
そして、システム制御部１２１は、一時停止期間中に取得した音声に代替動画を対応付けて動画ファイルに書き込む（ステップＳ４０８）。この間、システム制御部１２１は、液晶モニタ１０４への停止中動画の再生表示を継続している。
【００２５】
なお、記憶部は、複数の代替動画を格納してもよい。この場合には、システム制御部１２１は、複数の代替動画を読み出し、これを液晶モニタ１０４に表示する。ユーザは、十字ボタン１０６やファンクション／セットボタン１０７の操作により、希望の代替動画を選択する。システム制御部１２１は、ユーザにより選択された代替動画を選択し、ステップＳ４０８において、選択した記録動画を音声に対応付けて動画ファイルに書き込む。
【００２６】
次に、一時停止の解除指示を受け付けると（ステップＳ４０９でＹＥＳ）、システム制御部１２１は、代替動画の動画ファイルへの記録を停止する（ステップＳ４１１）。なお、解除指示を受け付けると、一時停止期間が終了する。
そして、システム制御部１２１は、前方撮像部１２０から取得した撮像動画の動画ファイルへの記録を再開する（ステップＳ４１２）。すなわち、システム制御部１２１は、一時停止期間が終了すると、再び撮像動画と音声とを、各情報の取得タイミグに応じて対応付けて動画ファイルに記録する。
次に、システム制御部１２１は、液晶モニタ１０４の表示を通常表示に戻す（ステップＳ４１３）。すなわち、システム制御部１２１は、液晶モニタ１０４の表示を停止中動画から撮像動画に切り替える。
【００２７】
そして、撮像動画の記録中に、レリーズスイッチ１０２の押下に応じた指示を受け付けた場合には（ステップＳ４１４でＹＥＳ）、システム制御部１２１は、処理をステップＳ４１５へ進める。そして、システム制御部１２１は、動画ファイルをクローズして動画ファイルへの書き込みを禁止し（ステップＳ４１５）、撮像動画と音声の記録を終了する（ステップＳ４１６）。
次に、ユーザ操作に応じて動作終了指示を受けた場合には（ステップＳ４１７でＹＥＳ）、動画記録処理は終了する。なお、動作終了指示を受け付けない場合には（ステップＳ４１７でＮＯ）、システム制御部１２１は、動作状態を撮像待機状態に戻し、処理をステップＳ４０１へ進める。
【００２８】
また、ステップＳ４０４において、一時停止指示を受け付けない場合には（ステップＳ４０４でＮＯ）、システム制御部１２１は、処理をステップＳ４１４へ進める。そして、ステップＳ４１４において、レリーズスイッチ１０２の押下を待つ。
また、ステップＳ４０９において、解除指示を受け付けず（ステップＳ４０９でＮＯ）、レリーズスイッチ１０２の押下に応じた指示を受け付けた場合には（ステップＳ４１０でＹＥＳ）、処理をステップＳ４１５へ進める。一方、ステップＳ４１０において、レリーズスイッチ１０２の押下に応じた指示を受け付けない場合には（ステップＳ４１０でＮＯ）、システム制御部１２１は、処理をステップＳ４０９へ進める。
ステップＳ４１４において、レリーズスイッチ１０２に押下に応じた指示を受け付けない場合には（ステップＳ４１４でＮＯ）、システム制御部１２１は、処理をステップＳ４０４へ進める。
【００２９】
以上のように、デジタルカメラ１００は、ユーザから指示された一時停止期間に、代替動画を挿入した撮像動画の動画ファイルを生成することができる。
さらに、デジタルカメラ１００は、液晶モニタ１０４に、記録中の撮像動画を再生表示する。したがって、ユーザは、液晶モニタ１０４に表示された撮像動画を確認しながら、撮像動画の記録の一時停止を指示することができる。
さらに、デジタルカメラ１００は、撮像動画の記録の一時停止中においても、撮像中の撮像動画を液晶モニタ１０４に表示する。したがって、ユーザは、液晶モニタ１０４に表示された撮像動画を参照することにより、希望のタイミングで一時停止の解除を指示することができる。
【００３０】
図５は、動画記録処理により得られた動画ファイルの一例を示す図である。システム制御部１２１が図５の上段に示すような７フレーム（コマ）の撮像動画を取得したとする。さらに、フレーム３の取得タイミングにおいて、一時停止指示を受け付け、フレーム４の取得タイミングにおいて、解除指示を受け付けたとする。すなわち、フレーム３，４の期間が一時停止期間となる。
この場合には、図５の中段に示すように、液晶モニタ１０４には、フレーム１，２，５，６，７の期間においては、撮像動画が表示され、一時停止期間（フレーム３，４）においては、停止中動画が表示される。
また、この場合には、図５の下段に示すように、動画ファイルにおいては、フレーム１，２，５，６，７には、撮像動画が記録され、フレーム３，４には、代替動画が記録されている。
【００３１】
このように、本実施形態にかかるデジタルカメラ１００は、ユーザによる一時停止指示及び解除指示の入力操作に応じて、撮像動画の任意の期間の動画を代替動画に差し替えることができる。さらに、デジタルカメラ１００は、一時停止処理に応じて一部の時間帯に代替動画を含む撮像動画を、１つの動画ファイル（１ファイル）として記録することができる。これにより、一連の撮像動画の管理を容易にすることができる。また、撮像動画の時間的な位置や、音声との関係を容易に把握することができる。
このように、デジタルカメラ１００は、ユーザによる煩雑な操作を要することなく、動画中の任意の時間範囲に対し他の動画が挿入された動画を生成することができる。
【００３２】
（第２の実施形態）
次に、第２の実施形態にかかるデジタルカメラについて説明する。図６及び図７は、第２の実施形態にかかるデジタルカメラ１６０を示す図である。デジタルカメラ１６０は、前方撮像部１２０の他に、後方撮像部１６１を備えている。後方撮像部１６１は、撮像者を撮像すべく、前方撮像部１２０と反対側の面、すなわち液晶モニタ１０４と同一面に設けられている。なお、デジタルカメラ１６０のこれ以外の構成は、第１の実施形態にかかるデジタルカメラ１００と同様であり、同じ構成には、同じ記号を割り当てて示している。
第２の実施形態にかかるデジタルカメラ１６０においては、撮像モードにおいて、液晶モニタ１０４には、前方撮像部１２０により得られた前方撮像動画と、後方撮像部１６１により得られた後方撮像動画とが表示される。
【００３３】
図８は、撮像モードにおける通常表示の表示例を示す図である。図８は、図９に示すように、撮像者Ａが、人物Ｂ，Ｃを被写体として撮像する場合に対応している。図８（ａ）に示す例においては、同一サイズの前方撮像動画８０１と、後方撮像動画８０２とが、液晶モニタ１０４の左右に表示されている。また、図８（ｂ）に示す例においては、前方撮像動画８１１上に重畳して、縮小サイズの後方撮像動画８１２が表示されている。
【００３４】
図１０は、第２の実施形態にかかるデジタルカメラ１６０による、動画記録処理を示すフローチャートである。まず、デジタルカメラ１６０のシステム制御部１２１は、ユーザから通常表示における前方撮像動画と後方撮像動画の表示位置の選択を受け付ける（ステップＳ８０１）。システム制御部１２１は、例えば、図８（ａ）及び図８（ｂ）のいずれかの表示位置の選択を受け付ける。
次に、システム制御部１２１は、十字ボタン１０６のいずれかの方向のボタンに対し、選択された表示位置に応じた記録開始や停止などの操作のための機能を割り当てる（ステップＳ８０２）。割り当て処理（ステップＳ８０２）については、図１１を参照しつつ説明する。
【００３５】
図１１は、割り当て処理（ステップＳ８０２）におけるサブルーチン処理を示すフローチャートである。システム制御部１２１は、ステップＳ８０１において、選択された表示位置に対して、予め設定されている機能配置の候補を液晶モニタ１０４に表示する（ステップＳ９０１）。ここで、機能配置とは、十字ボタン１０６のいずれかの方向のボタンに、前方撮像動画及び後方撮像動画に対する指示を受け付ける機能を割り当てる処理である。
機能配置の候補は、例えば不揮発性メモリ１２３等の記憶部に格納されているものとする。機能配置の候補としては、操作者が直感的にわかりやすいような配置が好ましい。例えば、図８（ａ）に示すように、前方撮像動画８０１と、後方撮像動画８０２とが左右に並べて配置されているとする。記憶部は、この表示位置に対応付けて、十字ボタン１０６の右と左のボタンにそれぞれ前方撮像動画と後方撮像動画に対する指示を受け付ける機能を割り当てる処理を格納する。
【００３６】
また、例えば、図８（ｂ）に示すように、前方撮像動画８１１が液晶モニタ１０４全面に表示され、後方撮像動画８０２が液晶モニタ１０４の左下に表示されているとする。記憶部は、この表示位置に対応付けて、十字ボタン１０６の上と左のボタンにそれぞれ前方撮像動画と後方撮像動画に対する指示を受け付ける機能を割り当てる処理を格納する。
また他の例としては、記憶部は、この表示位置に対応付けて、十字ボタン１０６の右と下のボタンにそれぞれ前方撮像動画及び後方撮像動画に対する指示を受け付ける機能を割り当てる処理を格納してもよい。
さらに他の例としては、十字ボタン１０６以外の操作部（ファンクション／セットボタン１０７、ディスプレイボタン１０８、メニューボタン１０９、ショートカットボタン１１０）に、指示を受け付ける機能を割り当てることとしてもよい。
【００３７】
ユーザから候補の確定指示を受け付けると（ステップＳ９０２でＹＥＳ）、システム制御部１２１は、確定指示に応じて、ボタンへの機能の割り当てを行う（ステップＳ９０３）。ユーザが他の割り当てを希望し、確定指示を受け付けない場合には（ステップＳ９０２でＮＯ）、システム制御部１２１は、処理をＳ９０４へ進める。そして、システム制御部１２１は、液晶モニタ１０４に別の割り当て機能配置の候補を表示し（ステップＳ９０４）、ステップＳ９０２において、確定指示を受け付けるまで、処理を繰り返す。システム制御部１２１は、割り当てられたボタンと機能の関係を、不揮発性メモリ１２３に格納する。以上で、サブルーチン処理は終了する。
【００３８】
図１０に戻り、ステップＳ８０２において、ボタンへの機能の割り当てが行われた後、システム制御部１２１は、動作状態を撮像待機状態とし、液晶モニタ１０４にスルー画像として、前方撮像動画及び後方撮像動画を表示する。
この状態において、ユーザによりレリーズスイッチ１０２が押下されると、システム制御部１２１は、操作受付部１２５を介して動画記録指示を受け付ける（ステップＳ８０３でＹＥＳ）。そして、システム制御部１２１は、メモリ１２２内に前方撮像動画を記録するための前方動画ファイルと、後方撮像動画を記録するための後方動画ファイルの２つの動画ファイルを生成する（ステップＳ８０４）。
【００３９】
次に、システム制御部１２１は、前方撮像部１２０により得られた前方撮像動画及び後方撮像部１６１により得られた後方撮像動画の記録を開始する（ステップＳ８０５）。具体的には、システム制御部１２１は、前方撮像部１２０による撮像、後方撮像部１６１による撮像及びマイク１２７による音声の取得を指示する。そして、システム制御部１２１は、前方撮像部１２０及び後方撮像部１６１からそれぞれ前方撮像動画及び後方撮像動画を取得し、マイク１２７から音声を取得する。
そして、システム制御部１２１は、取得した前方撮像動画と音声とを、取得タイミングに応じて対応付けて、前方動画ファイルに書き込む。同様に、システム制御部１２１は、取得した後方撮像動画と音声とを、取得したタイミングに応じて対応付けて、後方動画ファイルに書き込む。なお、このとき、書き込み動作と並行して、システム制御部１２１は、前方撮像動画及び後方撮像動画を、液晶モニタ１０４に再生表示する。
【００４０】
次に、ユーザによる操作入力に応じて、操作受付部１２５が、前方撮像動画又は後方撮像動画の一時停止指示を受け付けると（ステップＳ８０６でＹＥＳ）、システム制御部１２１は、処理をステップＳ８０７へ進める。以下、一時停止指示にかかる撮像動画（前方撮像動画又は後方撮像動画）を、対象撮像動画と称する。
そして、システム制御部１２１は、一時停止期間に取得した対象撮像動画に対し、網掛け処理を行い、網掛け動画を得る（ステップＳ８０７）。なお、網掛け処理は、ステップＳ４０５（図３）における網掛け処理と同様である。
【００４１】
次に、システム制御部１２１は、停止中動画を再生表示する（ステップＳ８０８）。具体的には、システム制御部１２１は、対象撮像動画に替えて網掛け動画を液晶モニタ１０４に表示する。システム制御部１２１はさらに、網掛け動画上に、網掛け動画と別ウィンドウとして、縮小サイズの対象撮像動画を重畳して表示する。ここで、縮小サイズの撮像動画とは、撮像動画の画像サイズを縮小した動画である。なお、縮小サイズの撮像動画は、網掛け処理が施されていない動画である。
なお、このとき、システム制御部１２１は、一時停止指示の対象となっていない撮像動画（前方撮像動画又は後方撮像動画）については、継続して再生表示する。
このように、システム制御部１２１は、一時停止期間の間、記録が一時停止中の撮像動画に替えて停止中動画を液晶モニタ１０４に再生表示する。これにより、ユーザは、いずれかの撮像動画が記録の一時停止中であることを認識することができる。
【００４２】
図１２は、停止中動画の一例を示す図である。図１２（ａ）は、図８（ａ）に示す表示位置が選択された場合において、前方撮像動画の一時停止指示を受け付けた場合に表示される停止中動画の一例である。図１２（ａ）に示す停止中動画において、網掛け処理後の前方撮像動画８２１上に、別ウィンドウとして縮小サイズの前方撮像動画８２２が重畳表示されている。
また、図１２（ｂ）は、図８（ｂ）に示す表示位置が選択された場合において、後方撮像動画の一時停止指示を受け付けた場合に表示される停止中動画の一例である。図１２（ｂ）に示す停止中動画において、網掛け処理後の後方撮像動画８３１上に、別ウィンドウとして後方撮像動画８３２が重畳表示されている。
【００４３】
図１０に戻り、システム制御部１２１は、さらに対象撮像動画の動画ファイル(前方動画ファイル又は後方動画ファイル)への記録を一時停止する（ステップＳ８０９）。以下、対象撮像動画を記録する動画ファイル（前方動画ファイル又は後方動画ファイル）を対象動画ファイルと称する。
なお、このとき、システム制御部１２１は、前方撮像部１２０及び後方撮像部１６１による撮像処理と、マイク１２７による音声取得処理を継続している。そして、システム制御部１２１は、継続して、前方撮像動画と、後方撮像動画と、音声とを取得する。
【００４４】
次に、システム制御部１２１は、記憶部に格納されている代替動画を読み出す。そして、システム制御部１２１は、一時停止期間中に取得した音声に代替動画を対応付けて、対象動画ファイルに書き込む（ステップＳ８１０）。この間、システム制御部１２１は、液晶モニタ１０４への停止中動画の再生表示を継続している。
次に、一時停止の解除指示を受け付けると（ステップＳ８１１でＹＥＳ）、システム制御部１２１は、代替動画の記録を停止する（ステップＳ８１３）。そして、システム制御部１２１は、一時停止中の対象撮像動画の記録を再開する（ステップＳ８１４）。ステップＳ８１４の処理の実行後は、システム制御部１２１は、前方撮像動画及び後方撮像動画をそれぞれ前方動画ファイル及び後方動画ファイルに記録する。
【００４５】
次に、システム制御部１２１は、液晶モニタ１０４の表示を通常表示に戻す（ステップＳ８１５）。すなわち、システム制御部１２１は、液晶モニタ１０４の表示を停止中動画から前方撮像動画及び後方撮像動画に切り替える。そして、前方撮像動画及び後方撮像動画の記録中に、レリーズスイッチ１０２の押下に応じた指示を受け付けた場合には（ステップＳ８１６でＹＥＳ）、システム制御部１２１は、処理をステップＳ８１７へ進める。
そして、システム制御部１２１は、動画ファイルをクローズして動画ファイルへの書き込みを禁止し（ステップＳ８１７）、前方撮像動画、後方撮像動画及び音声の記録を終了する（ステップＳ８１８）。
次に、ユーザ操作に応じて動作終了指示を受けた場合には（ステップＳ８１９でＹＥＳ）、動画記録処理は終了する。なお、動作終了指示を受け付けない場合には（ステップＳ８１９でＮＯ）、システム制御部１２１は、動作状態を撮像待機状態に戻し、処理をステップＳ４０２へ進める。
【００４６】
ステップＳ８０６において、一時停止指示を受け付けない場合には（ステップＳ８０６でＮＯ）、システム制御部１２１は、処理をステップＳ８１６へ進める。また、ステップＳ８１１において、解除指示を受け付けず（ステップＳ８１１でＮＯ）、レリーズスイッチ１０２の押下に応じた指示を受け付けた場合には（ステップＳ８１２でＹＥＳ）、処理をステップＳ８１７へ進める。一方、ステップＳ８１２において、レリーズスイッチ１０２の押下に応じた指示を受け付けない場合には（ステップＳ８１２でＮＯ）、システム制御部１２１は、処理をステップＳ８１１へ進める。
ステップＳ８１６において、レリーズスイッチ１０２に押下に応じた指示を受け付けない場合には（ステップＳ８１６でＮＯ）、システム制御部１２１は、処理をステップＳ８０６へ進める。
【００４７】
以上のように、第２の実施形態にかかるデジタルカメラ１６０は、動画処理において、前方撮像動画及び後方撮像動画をそれぞれ別の動画ファイルとして記録する。そして、記録処理時には、前方撮像動画及び後方撮像動画の両方が液晶モニタ１０４に表示される。したがって、ユーザは、前方撮像動画及び後方撮像動画それぞれ独立に記録の一時停止、再開を指示することができる。
【００４８】
なお、動画記録処理において、図８（ａ）に示す表示位置でのスルー画像の表示中において、十字ボタン１０６の左と右が同時に押下されるなど、ユーザにより、前方撮像動画及び後方撮像動画の両方に対する一時停止指示が入力されたとする。この場合には、システム制御部１２１は、前方撮像動画及び後方撮像動画の一時停止指示のうちいずれか一方の一時停止指示のみを受け付けることとする。そして、システム制御部１２１は、一時停止指示を受け付けた撮像動画の記録を一時停止するための処理を行うこととする。
また、他の例としては、前方撮像動画及び後方撮像動画の両方に対する一時停止指示が入力された場合には、システム制御部１２１は、いずれの撮像動画に対する一時停止指示も受け付けないものとしてもよい。
【００４９】
また、動画記録処理において、システム制御部１２１が、一方の撮像動画の記録の一時停止中に、他方の撮像動画の記録の一時停止指示を受け付けたとする。この場合には、システム制御部１２１は、各撮像動画に対し、それぞれ一時停止にかかる処理（ステップＳ８０７以降の処理）を実行し、２つの動画ファイルへの代替動画の記録を行うこととする。
また、他の例としては、一方の撮像動画の記録の一時停止中に、他方の撮像動画の記録の一時停止指示を受け付けた場合には、システム制御部１２１は、後から受け付けた一時停止指示を受け付けないこととしてもよい。また、他の例としては、一方の撮像動画の記録の一時停止中に、他方の撮像動画の記録の一時停止指示を受け付けた場合、システム制御部１２１は、既に実行中の代替動画の記録に係る処理（ステップＳ８１５の処理）を継続してもよい。そして、システム制御部１２１は、実行中の処理が完了した後、後から受け付けた一時停止指示にかかる撮像動画に対する記録を一時停止する処理（ステップＳ８０７以降の処理）を実行することとしてもよい。
なお、第２の実施形態にかかるデジタルカメラ１６０のこれ以外の構成及び処理は、第１の実施形態にかかるデジタルカメラ１００の構成及び処理と同様である。
【００５０】
次に、第１の変更例について説明する。撮像動画の録画の一時停止のための操作としては、ユーザは、十字ボタン１０６等の操作部への操作入力の他、タッチパネルとしての液晶モニタ１０４へのタッチダウンを行ってもよい。この場合も、システム制御部１２１は、操作受付部１２５を介してタッチダウンに対応する指示を受け付けることができる。例えば、操作受付部１２５は液晶モニタ１０４へのタッチ操作を検出し、ユーザによりタッチダウン操作が行われると、システム制御部１２１は、タッチダウンの領域に表示される撮像動画に対する一時停止指示を受け付ける。そして、ユーザによりタッチアップ操作が行われると、システム制御部１２１は、タッチアップされた領域に表示される撮像動画に対する解除指示を受け付ける。
【００５１】
さらに、図８（ａ）に示す前方撮像動画８０１と後方撮像動画８０２等、複数の動画がタッチされた場合に、システム制御部１２１は、撮像者を被写体とする後方撮像動画８０２の一時停止指示を受け付けてもよい。また、液晶モニタ１０４のいずれの場所へのタッチである場合にも、システム制御部１２１は、撮像者を被写体とする後方撮像動画８０２の一時停止指示を受け付けることとしてもよい。
通常の撮像においては、ユーザは、前方撮像動画を主として撮像する。このため、後方撮像動画が逆光の動画となる場合や、前方撮像動画に比べて、記録する必要性が低い場合が想定される。また、撮像者によっては、後方撮像動画として自身の表情等をできるだけ記録に残したくないという場合もある。
このような場合において、上述のように、後方撮像動画の一時停止指示の入力操作として簡単な操作を設定しておくことにより、ユーザは、容易に後方撮像動画の一時停止指示の入力を行うことができる。
【００５２】
次に、第２の変更例について説明する。本実施形態においては、画像処理装置としてのデジタルカメラ１００について説明したが、画像処理装置は、動画を取得可能な装置であればよく、デジタルカメラ１００に限定されるものではない。
他の例としては、画像処理装置は、撮像部を備えず、これにかえて、有線又は無線ＬＡＮや記録媒体から動画を取得し、これを記録する装置であってもよい。
また他の例としては、画像処理装置は、テレビチューナーであってもよい。この場合には、テレビチューナーは、テレビ番組等の映像を記録対象とする。すなわち、テレビチューナーは、映像の再生タイミングと、音声の再生タイミングとに基づいて、画像ファイルを生成する。
【００５３】
＜その他の実施形態＞
また、本発明は、以下の処理を実行することによっても実現される。即ち、上述した実施形態の機能を実現するソフトウェア（プログラム）を、ネットワーク又は各種記録媒体を介してシステム或いは装置に供給する。そして、そのシステム或いは装置のコンピュータ（又はＣＰＵやＭＰＵ等）がプログラムを読み出して実行する処理である。
【００５４】
以上、上述した各実施形態によれば、ユーザによる煩雑な操作を要することなく、動画中の任意の時間範囲に対し他の動画が挿入された動画を生成することができる。
【００５５】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００５６】
１００，１６０  デジタルカメラ、１０４  液晶モニタ、１２０  前方撮像部、１２２  メモリ、  １２３  不揮発性メモリ、１２４  記録媒体接続部、１２５  操作受付部、１２６  表示制御部、  １２７  マイク、１６１  後方撮像部
【図１】
2015088776.tif 000003
【図２】
2015088776.tif 000004
【図３】
2015088776.tif 000005
【図４】
2015088776.tif 000006
【図５】
2015088776.tif 000007
【図６】
2015088776.tif 000008
【図７】
2015088776.tif 000009
【図８】
2015088776.tif 000010
【図９】
2015088776.tif 000011
【図１０】
2015088776.tif 000012
【図１１】
2015088776.tif 000013
【図１２】
2015088776.tif 000014